(57)【要約】【課題】コインランドリーの運営に当たって、イニシャルコストを低減し、店舗オーナーのコスト負担を軽減することのできるコインランドリーシステムを提供する。【解決手段】実施形態のコインランドリーシステムは、被処理物を洗濯及び／又は乾燥する複数のランドリー機器（２Ａ，２Ｂ）の個別構成要素の集合体である本体ユニットと、前記本体ユニットに接続され、前記複数のランドリー機器が共用する共有構成要素による共有ユニットと、を備えた構成である。【選択図】図１
2019165853.tif 000002
【特許請求の範囲】
【請求項１】
被洗濯物を洗濯及び／又は乾燥する複数のランドリー機器の個別構成要素の集合体である本体ユニットと、前記本体ユニットに接続され、前記複数のランドリー機器の個別構成要素が共用する共有構成要素による共有ユニットと、を備えたことを特徴とするコインランドリーシステム。
【請求項２】
前記共有ユニットは、前記複数のランドリー機器が共用するバーナー、送風機及びリントフィルターのいずれか一つ以上であることを特徴とする請求項１に記載のコインランドリーシステム。
【請求項３】
被洗濯物を洗濯及び／又は乾燥する複数のランドリー機器の制御の全て若しくはその一部の制御を一元管理する集中管理ユニットに接続され、前記集中管理ユニットが一元管理する制御と同じ制御を実行する機器及び／又はプログラムを個々のランドリー機器に搭載していないことを特徴とするコインランドリーシステム。
【請求項４】
前記個々のランドリー機器は、動力系の出力制御機器のみ搭載していることを特徴とする請求項３に記載のコインランドリーシステム。
【請求項５】
前記ランドリー機器の各々は、外板パネルの全て若しくはその一部が無く、
前記本体ユニットの前面側は、各ランドリー機器に被洗濯物を出し入れする開口部の複数が開口している室内壁が保護カバーとなっていることを特徴とする請求項１に記載のコインランドリーシステム。
【請求項６】
前記室内壁は、さらに表示部の開口部又は保守部へアクセスする開口部が開口していることを特徴とする請求項５に記載のコインランドリーシステム。
【請求項７】
被洗濯物を洗濯及び／又は乾燥する複数のランドリー機器において、各機器同士は上下、左右への連結が可能な構造とし、組み合わせを自由に選択出来る事を特徴とするコインランドリーシステム。
【請求項８】
前記請求項１〜７のいずれか１項に記載のコインランドリーシステムを設置したことを特徴とするコインランドリー。
【発明の詳細な説明】
【技術分野】
【０００１】
本発明の実施形態は、コインランドリーシステム及びコインランドリーに関する。
【背景技術】
【０００２】
コインランドリーは、店舗内に設置した洗濯機，乾燥機，洗濯乾燥機等のランドリー機器を利用者に提供する。利用者は、衣類や布団などの被洗濯物（被洗物、被乾燥物）を持ち込み、利用料金を支払って洗濯及び／又は乾燥を行う。コインランドリーの運営に当たって、複数台の洗濯機、乾燥機、洗濯乾燥機等を設置する必要が有るが、これまでのコインランドリーは、全て１台で完結された製品を、複数台設置している。そのため、設置台数分の機器費用がイニシャルコストとして発生し、高額の投資を行う必要がある。
【０００３】
また、特に都市部においては十分なスペースを取る事が困難であり、設置台数を少なくしなければならない、メンテナンススペースが十分に取れない等が課題となっている。屋外設備についても、機器設置台数分の排気筒や若しくは集合排気の場合は口径の太い排気筒を屋外において上方へ立ち上げ、周囲への環境影響を考慮する必要がある。
【先行技術文献】
【特許文献】
【０００４】
【特許文献１】特開昭５３−８２０６４号公報
【特許文献２】特開２００２−１８０６８３号公報
【特許文献３】特開２０１２−１２９３６５号公報
【特許文献４】特開平６−９１１００号公報
【特許文献５】特許第２９６３８２０号公報
【発明の概要】
【発明が解決しようとする課題】
【０００５】
本発明が解決しようとする課題は、コインランドリーの運営に当たって、イニシャルコストを低減し、店舗オーナーのコスト負担を軽減することのできるコインランドリーシステム及びコインランドリーを提供することにある。
【０００６】
本発明が解決しようとする他の課題は、例えばコインランドリーの新規運営に当たって、スペースの小さいところでも容易に設置することのできるコインランドリーシステム及びコインランドリーを提供することにある。
【課題を解決するための手段】
【０００７】
上記課題を解決するために、実施形態のコインランドリーシステムは、被洗濯物を洗濯及び／又は乾燥する複数のランドリー機器の個別構成要素の集合体である本体ユニットと、前記本体ユニットに接続され、前記複数のランドリー機器の個別構成要素が共用する共有構成要素による共有ユニットと、を備えたことを特徴とする。
【０００８】
他の実施形態のコインランドリーシステムは、被洗濯物を洗濯及び／又は乾燥する複数のランドリー機器の制御の全て若しくはその一部の制御を一元管理する集中管理ユニットに接続され、前記集中管理ユニットが一元管理する制御と同じ制御を実行する機器及び／又はプログラムを個々のランドリー機器に搭載していないことを特徴とする。
【０００９】
他の実施形態のコインランドリーシステムは、被洗濯物を洗濯及び／又は乾燥する複数のランドリー機器において、各機器同士は上下、左右への連結が可能な構造とし、組み合わせを自由に選択出来る事を特徴とする。
【図面の簡単な説明】
【００１０】
【図１】第１実施形態のコインランドリーシステムを導入したコインランドリーの内観図である。
【図２】上記コインランドリーの平面図である。
【図３】上記コインランドリーに設置する乾燥機の本体ユニットの正面図である。
【図４】上記コインランドリーに設置する乾燥機の本体ユニットの側面図である。
【図５】上記コインランドリーに設置する洗濯乾燥機の本体ユニットの正面図である。
【図６】上記コインランドリーに設置する洗濯乾燥機の本体ユニットの側面図である。
【図７】上記コインランドリーの集中精算システムのブロック構成図である。
【図８】第２実施形態のコインランドリーシステムを導入したコインランドリーに設置する洗濯乾燥機の本体ユニットの正面図である
【発明を実施するための形態】
【００１１】
以下、実施形態に従うコインランドリーシステムについて、添付図面を参照しながら詳述する。なお、各図において、同一構成には同一符号を付している。
【００１２】
（第１実施形態）
第１実施形態のコインランドリーシステムを導入したコインランドリー１は、図１及び図２に示すように、店舗内に複数のランドリー機器を設置して利用者にセルフ方式のランドリーサービスを提供している。ランドリー機器は、例えば、洗濯機，乾燥機，洗濯乾燥機，靴洗浄機，圧縮パック機などがあるが、図１及び図２には、一例としてドラム式の洗濯乾燥機２Ａとドラム式の乾燥機２Ｂを複数設置したコインランドリー１を示している。利用者は、空いている洗濯乾燥機２Ａ，乾燥機２Ｂの中から使用する機器を選び、持ち込んだ衣類等の被洗濯物（すなわち、被洗物、被乾燥物）を投入して洗濯又は乾燥或いは洗濯・乾燥を行う。また、利用者に代わって例えば店員が洗濯等を行う洗濯代行サービスを行う場合もある。
【００１３】
コインランドリー１内には、店舗内のランドリー機器を一元管理する集中精算機３を配置している。利用者は、集中精算機３の操作ガイダンスに従って洗濯・乾燥メニューを選択し、利用料金を前払い又は後払い精算することによって、洗濯乾燥機２Ａ，乾燥機２Ｂに所望のコースに従う洗濯及び／又は乾燥を実行させる。
【００１４】
コインランドリー１内には、特に図２の平面図に示すように、ユーザーエリア４とメンテナンスエリア４１を設けている。図示は省略するが、ユーザーエリア４には利用者のためのテーブルや椅子などを配置している。利用者は、ユーザーエリア４で待ち時間を過ごしたり、洗濯・乾燥を終えた衣類等をたたむ作業を行ったりする。メンテナンスエリア４１は、コインランドリー１の関係者が使用するエリアであり、ランドリー機器，集中精算機３の点検・保守を行う際に使用する。ランドリー機器の電気配線，給排水管，給排気管，バルブなどのユーティリティ設備は、メンテナンスエリア４１に配置する。メンテナンスエリア４１は、好ましくは背面側の外壁４２にシャッター４３を設けている。例えばシャッター４３を開いてランドリー機器の設置やメンテナンス器具の搬入を行うようにすることで、ランドリー機器の設置を容易にし、且つメンテナンスエリア４１の省スペース化を図ることができる。なお、図２は、一例として長方形状のユーザーエリア４とメンテナンスエリア４１を図示しているが、長方形状でなくともよい。
【００１５】
ユーザーエリア４とメンテナンスエリア４１は、室内壁４４で仕切っている。室内壁４４は、例えば、木材，金属材，樹脂材，或いはこれらの組み合わせによって形成する。メンテナンスエリア４１側に、防音材や保温材などの機能材を積層してもよい。室内壁４４のユーザーエリア４側の表面は、塗装したり壁紙を貼ったりするなどしてコインランドリー１内に美観をもたらすようにする。
【００１６】
室内壁４４には、洗濯乾燥機２Ａ，乾燥機２Ｂの扉２１Ａ，２１Ｂの部分がユーザーエリア４側に露出するように複数の開口部４５を形成している。開口部４５は、例えば扉２１Ａ，２１Ｂの外周形状の相似形とする。すなわち、扉２１Ａ，２１Ｂの部分を除いて、洗濯乾燥機２Ａ，乾燥機２Ｂの前面側の保護壁として室内壁４４が位置しており、利用者にとっては洗濯乾燥機２Ａ，乾燥機２Ｂ内部の可動部等に対する安全壁となっている。室内壁４４には、洗濯乾燥機２Ａ，乾燥機２Ｂに表示部を設ける場合の開口部、コインランドリー１の関係者が保守のために使用する保守用開口部を設けるようにしてもよい。保守用開口部は、例えば利用者が使用できないように扉を設けて施錠するようにする。また、室内壁４４には、集中精算機３の利用者の操作部が露出するように開口部４６を形成している。
【００１７】
洗濯乾燥機２Ａ，乾燥機２Ｂは、１台で完結された製品とする場合に必須である外板パネル（すなわち、外装体）を省略している。さらに、洗濯乾燥機２Ａ，乾燥機２Ｂは、複数台設置する事を前提として、共有可能な機器（「共有構成要素」と称す）を除く、必要最小限の機器（「個別構成要素」と称す）にて本体ユニットを夫々構成している。一例として、例えば被洗物又は被乾燥物を投入するドラム及びその駆動系で本体ユニットを構成する。ガスバーナー，送風機，リントフィルター等の共有可能な機器は、別途、共有ユニットとして構成する。共有ユニットの共有構成要素は、本体ユニットを構成する洗濯乾燥機２Ａ，乾燥機２Ｂの個別構成要素が洗濯・乾燥を行う際に共用する。なお、外板パネルは、全てを省略した構成でなくともよく、一部を残すようにしてもよい。例えば、モーターなどの駆動装置を安全カバーとして囲うようにしてもよい。
【００１８】
図３及び図４は、一例として、上下２段でユニット化したドラム式乾燥機２Ｂの本体ユニットを示す。なお、ドラム式乾燥機２Ｂの本体ユニットは、左右２列のユニットとしてもよい。さらに、上下２段左右２列のユニットとしてもよい。すなわち、上下左右の組み合わせを自由に選択出来る。
【００１９】
上下２段のドラム式乾燥機２Ｂの本体ユニットは、例えば上下２段のラック状に形成したフレーム５０に、略円筒体状に形成したシェル５Ａ，５Ｂを固定配置している。フレーム５０と各シェル５Ａ，５Ｂは、例えばダンパー等の支持部材（不図示）で接続する。フレーム５０は、例えばコンクリート等の基礎１００上に例えばアンカーボルト１０１によって固定している。フレーム５０は、例えば金属材で形成する。円筒状のドラム５１Ａ，５１Ｂは、シェル５Ａ，５Ｂの内部に回転自在に設けている。ドラム５１Ａ，５１Ｂの側周面には、被乾燥物から蒸発した水分や乾燥用の温風を通過させる多数の通気孔５２Ａ，５２Ｂを形成している。シェル５Ａ，５Ｂ及びドラム５１Ａ，５１Ｂは、前面側が開口しており、被乾燥物を出し入れする投入口となっている。なお、投入口を開閉する扉２１Ｂは、シェル５Ａ，５Ｂに設けてもよく、室内壁４４に設けてもよい。
【００２０】
ドラム５１Ａ，５１Ｂの背面側は有底となっており、ドラム５１Ａ，５１Ｂの中心線上に沿って延びる回転軸５３Ａ，５３Ｂを接続している。回転軸５３Ａ，５３Ｂは、シェル５Ａ，５Ｂの外部に配置したベアリング等の軸受機構５４Ａ，５４Ｂによって回転自在に軸支している。回転軸５３Ａ，５３Ｂの端部に設けたプーリー５５Ａ，５５Ｂは、モーター５６Ａ，５６Ｂに設けたプーリー５７Ａ，５７Ｂと無端ベルト５８Ａ，５８Ｂを介して連結している。モーター５６Ａ，５６Ｂは、例えばインバータ又は減速機で調整された回転速度でドラム５１Ａ，５１Ｂを回転させる。
【００２１】
シェル５Ａ，５Ｂには、温風を導入する吸気路６Ａ，６Ｂ及び温風を排気する排気路６１Ａ，６１Ｂを形成している。シェル５Ａ，５Ｂの背面側に配置した吸気口６２Ａ，６２Ｂ及び排気口６３Ａ，６３Ｂには、吸気管６４Ａ，６４Ｂ及び排気管６５Ａ，６５Ｂを接続している。上下２段の吸気口６２Ａ，６２Ｂに接続した吸気管６４Ａ，６４Ｂは、上流側で合流して１本の配管（吸気管）となっている。例えば外気を加熱して温風を生成する加熱装置７は、合流点又はその上流に配置している。加熱装置７は、例えばガスを燃焼して加熱するバーナーである。すなわち、上下２段のシェル５Ａ，５Ｂが共用する加熱装置７は、共用ユニットの一つである。なお、図３及び図４には、上下２段のシェル５Ａ，５Ｂで一つの加熱装置７を共用する構成としたが、メンテナンスエリア４１に複数の本体ユニットを設置する場合、他の本体ユニットでも加熱装置７を共用する構成としてもよい。
【００２２】
上下２段のシェル５Ａ，５Ｂの各排気口６３Ａ，６３Ｂに接続した排気管６５Ａ，６５Ｂは、メンテナンスエリア４１の例えば天井側に配設した集合排気ダクト７１に夫々接続している（図２参照）。各排気管６５Ａ，６５Ｂには、風量を調整するバルブ６６Ａ，６６Ｂを夫々設ける。集合排気ダクト７１は、メンテナンスエリア４１の外に設けた室外機７２に接続している。室外機内７２には、温風をシェル５Ａ，５Ｂから排出する排気装置である送風機７２ａを配置している（図２参照）。送風機７２ａは、例えばシロッコファン式の送風機である。室外機７２内には、送風機７２ａの他に、リントフィルター７２ｂを設けている。すなわち、上下２段のシェル５Ａ，５Ｂが共用する送風機７２ａ及びリントフィルター７２ｂは、共用ユニットの一つである。なお、室外機７２とせず、共用する送風機７２ａ及びリントフィルター７２ｂを室内に配置してもよい。
【００２３】
上記構成において乾燥実行時に送風機７２ａが作動し、バルブ６６Ａ，６６Ｂを開いていくとシェル５Ａ，５Ｂ内が負圧となり、吸気路６Ａ，６Ｂから温風が導入される。各シェル５Ａ，５Ｂの温風の風量は、例えばシェル５Ａ，５Ｂ内の温度及び湿度をセンサーで検出し、検出結果に基づいてバルブ６６Ａ，６６Ｂの開度を調節することによって行う。上下２段の乾燥機２Ａのうち一方、例えば上段の乾燥機２Ａのみ稼働させる場合、バルブ６６Ａのみ開いてバルブ６６Ｂは閉じたままとする。なお、図２は、メンテナンスエリア４１に設置した全ての本体ユニットで室外機７２及び集合排気ダクト７１を共用する構成としたが、室外機７２及び集合排気ダクト７１を複数設けてユニット単位でのみ共用する構成としてもよい。なお、リントフィルターは、各シェル５Ａ，５Ｂの排気路６１Ａ，６１Ｂにも設けて、室外機７２のリントフィルター７２ｂと負荷を分散するようにしてもよい。
【００２４】
図５及び図６は、洗濯乾燥機２Ａの本体ユニットを示している。洗濯乾燥機２Ａの本体ユニットも、乾燥機２Ｂの本体ユニットと同様に、外板パネル（すなわち、外装体）を省略している。本体ユニットは、必要最小限の機器（「個別構成要素」と称す）にてユニットを構成している。一例として、被洗物を投入するドラム及びその駆動系で本体ユニットを構成している。但し、洗濯乾燥機２Ａは、特に脱水工程での振動が大きいため、本実施形態では上下２段とはせず１段としている。
【００２５】
具体的には、フレーム９０に略円筒体状に形成したシェル９を固定配置している。フレーム９０は、例えばコンクリート等の基礎１００に例えばアンカーボルト１０１によって固定している。フレーム９０は、例えば金属材で形成する。円筒状のドラム９１は、シェル９の内部に回転自在に設けている。ドラム９１の側周面には、多数の通気孔９２を形成している。シェル９及びドラム９１の前面側は開口しており、被洗濯物を出し入れする投入口となっている。なお、投入口を開閉する扉２１Ａは、シェル９に設けてもよく、室内壁４４に設けてもよい。
【００２６】
ドラム９１の背面側は有底となっており、ドラム９１の中心線上に沿って延びる回転軸９３を接続している。回転軸９３は、シェル９の外部に配置したベアリング等の軸受機構９４によって回転自在に軸支している。回転軸９３の端部に設けたプーリー９５は、モーター９６に設けたプーリー９７と無端ベルト９８を介して連結している。モーター９６は、例えばインバータ又は減速機で調整された回転速度でドラム９１を回転させる。
【００２７】
シェル９には、温風を導入する吸気路２０１及び温風を排気する排気路２０２を形成している。シェル９の背面側に配置した吸気口２０３及び排気口２０４には、吸気管２０５及び排気管２０６を接続している。吸気管２０５は、乾燥機２Ｂと共用の加熱装置７に接続している。排気管２０６は、集合排気ダクト７１に接続している。排気管２０６には、風量を調整するバルブ２０７を設ける。
【００２８】
シェル９には、図５に示すように、洗濯用水を供給する給水路３０１を接続している。給水路３０１は、バルブ３０２を介して洗濯用水の供給源（不図示）と接続している。シェル９には、洗剤を供給する洗剤供給路３０３を接続している。洗剤供給路３０３は、バルブ３０４を介して洗剤の供給源（不図示）と接続している。シュル９には、さらに洗濯排水を排出する排水路３０５を接続している。排水路３０５は、バルブ３０６を介して洗濯排水の回収装置（不図示）と接続している。図６は、給水路３０１，洗剤供給路３０３，排水路３０５の図示を省略している。
【００２９】
シェル９は、図５に示すように、左右にブラケット３０７を設けている。ブラケット３０７は、支持バネ３０８を介して支持部材３０９に支持されている。支持部材３０９は、フレーム９０に固定している。すなわち、シェル９は、ブラケット３０７，支持バネ３０８及び支持部材３０９を介してフレーム９０に支持されている。図示は省略するが、さらにダンパーを設けてシェル９を支持するのが好ましい。図６は、ブラケット３０７，支持バネ３０８，支持部材３０９の図示を省略している。
【００３０】
続いて、集中精算機３について説明する。集中精算機３は、制御系の共有ユニットにあたる集中管理ユニットである。すなわち、ＣＰＵ等の制御機器は、集中精算機３にて一括管理を行い、個々のランドリー機器（２Ａ，２Ｂ）の本体ユニットからは取り除き、動力系の出力制御機器（例えばリレー等）３Ａ，３Ｂ，３Ｃのみを本体ユニットに個別構成要素として搭載する（図３及び図５参照）。プログラム等の制御についても集中精算機３にて集中管理を行い、個々の本体ユニットとは信号線のみで接続し、個々の本体ユニット内の出力制御機器３Ａ，３Ｂ，３Ｃを制御して、工程全体のコントロールを行う。例えば、料金表示，時間表示等の表示系、及びコース選択，精算機能等の操作系についても、集中精算機３で一元管理を行い、個々の本体ユニットからはこれらの機器を取り除く。なお、集中管理ユニットの好ましい一例として集中精算機３を示したが、集中精算機３とは別に集中管理ユニットを別途設けてもよい。
【００３１】
集中精算機３は、図７に示すように、コインランドリー集中精算システム４００に含まれる。集中精算機３は、利用者へのガイダンスを表示する表示部４０１を備えている。表示部４０１は、例えばコントローラ４０１ａによって制御されるタッチパネルディスプレイであり、操作ガイダンスに従って表示される選択メニューを利用者が指でタッチして選択できるようになっている。メニューは、洗濯・乾燥コースの選択メニュー，利用料金を支払う精算メニューなどがある。集中精算機３は、さらに音声ガイダンスや報知音を発するスピーカー４０２を備えている。
【００３２】
集中精算機３は、現金精算のための紙幣入金部４０３ａ及び硬貨入金部４０３ｂ、並びにつり銭出金部４０３ｃを備えている。さらに、集中精算機３は、電子マネーによる精算方式として、プリペイドカードによる精算のためのプリペイドカードリーダライタ４０４、及びＩＣカードによる精算のためのＩＣカードリーダライタ４０５を備えている。利用者は、表示部４０１の操作ガイダンスに従って、現金精算，プリペイドカード精算，ＩＣカード精算のいずれかを選択することができる。ＩＣカードは、例えば、クレジットカード，交通系又は流通系の電子マネーカードなどである。
【００３３】
集中精算機３は、プリンター４０６を備えている。プリンター４０６は、現金や電子マネーによって精算した利用料金と利用明細などを記載したレシートを印刷して、レシート取出口（つり銭出金部４０３ｃと兼用）から出力する。
【００３４】
集中精算機３は、集中精算機３の全体動作及び各ランドリー機器を一元管理の下に制御する制御部５００を備えている。制御部５００は、例えば回路基板上に配置されたＣＰＵ５０１，ＲＯＭ５０２，ＲＡＭ５０３を備えている。ＲＯＭ５０２は、ＣＰＵ５０１が実行するプログラム及び各種制御条件などの情報を格納している。ＣＰＵ５０１は、プログラム及び各種制御条件をＲＯＭ５０２から読み出して、集中精算機３の全体動作を制御する。ＲＡＭ５０３は、ランドリー機器の稼働状況などの情報を一時的に格納する。
【００３５】
システムコントローラ５０４は、例えばケーブルハーネスを通じて集中精算機３と通信可能なように接続されている。システムコントローラ５０４は、各ランドリー機器を制御する管理システムコントローラ５０５と、例えばインターネットを介して外部との通信を行うための通信ポート５０６を備える。管理システムコントローラ５０５は、有線又は無線による通信が可能なように各ランドリー機器と接続されている。管理システムコントローラ５０５は、店舗内のランドリー機器の稼働状態を管理する。また、管理システムコントローラ５０５は、利用者が選択した選択メニューの情報などを集中精算機３から受信し、それを基にランドリー機器を制御する。すなわち、洗濯乾燥機２Ａ，乾燥機２Ｂの各本体ユニット内の出力制御機器３Ａ，３Ｂ，３Ｃを制御して、工程全体のコントロールを行う。
【００３６】
通信ポート５０６には、例えばルータやモデムなどの情報通信機器５０７を通じてインターネット網５０８に接続される。情報通信機器５０７とインターネット網５０８との間に、各種情報やデータ等を取りまとめる「情報システムコントローラ」を配置してもよい。そしてインターネット網５０８を通じて、店舗のオーナーの通信端末（例えば、サーバ５０９Ａ）や、利用者の通信端末（例えば携帯端末５０９Ｂ）と通信可能になっている。
【００３７】
上述の構成の実施形態によれば、複数のランドリー機器（２Ａ，２Ｂ）をユニット化し、共有不可能な最低限の機器のみで本体ユニットを構成することにより、ランドリー機器（２Ａ，２Ｂ）のコスト低減を実現し、店舗オーナーのイニシャルコストに対する負荷を軽減することができる。
【００３８】
さらに、上述の構成の実施形態によれば、各ランドリー機器（２Ａ，２Ｂ）の制御は例えば集中精算機３で一括管理し、各ランドリー機器（２Ａ，２Ｂ）には動力系操作機器（３Ａ，３Ｂ，３Ｃ）のみを搭載する構成とすることにより、各ランドリー機器（２Ａ，２Ｂ）のコスト低減を実現し、店舗オーナーのイニシャルコストに対する負荷を軽減することができる。
【００３９】
さらに、上述の構成の実施形態によれば、利用者から見えるランドリー機器（２Ａ，２Ｂ）の前面を室内壁４４で覆い、衣類等を出し入れするための投入口のみを開口する構成とすることにより、外板パネルを省略した分、各ランドリー機器（２Ａ，２Ｂ）のコスト低減を実現し、店舗オーナーのイニシャルコストに対する負荷を軽減することができる。すなわち、これまでのコインランドリー１に設置するランドリー機器（２Ａ，２Ｂ）は、機器毎に全面保護カバーである外板パネルを設けているが、コインランドリー１においては、複数台のランドリー機器（２Ａ，２Ｂ）を並べて設置する事がほとんどであるため、この際隣接する面同士のカバーは本来の目的である安全に対す保護の用をなさない。従ってこれら各ランドリー機器毎（２Ａ，２Ｂ）の保護カバーを省略し、コスト低減を図る。さらに、保護カバーを省略したことでメンテナンスエリア４１での各ランドリー機器毎（２Ａ，２Ｂ）の点検等のアクセスが容易になる。
【００４０】
ランドリー機器（２Ａ，２Ｂ）前面のパネルは、コンランドリー１の店舗のデザイン性を考慮して色合い、柄等をシール等の貼り付けにより店舗毎に変更する場合がある。ランドリー機器（２Ａ，２Ｂ）前面のパネル付近には、店舗内のユーザーエリア４と機器背面のメンテナンスエリア４１を分割する為の壁を設けるが、ランドリー機器（２Ａ，２Ｂ）前面のパネルを店舗の室内壁４４と共有する事で、ランドリー機器（２Ａ，２Ｂ）のコスト低減を図れると共に、店舗デザインの自由度が増し機器の外観を気にせず、店舗デザインが可能となる。
【００４１】
また、上述の構成の実施形態によれば、排気を集合排気とし、１箇所から屋外へ集合排気ダクトを取り出し、室外機７２によって冷却、臭い低減、微細なリントを除去する構成にして、室外の排気関係スペースも低減する。すなわち、コインランドリー１にて、複数台のランドリー機器（２Ａ，２Ｂ）を設置した際、排気ダクトを機器毎に屋外へ接続するか若しくは、集合ダクトとして必要口径のダクトを屋外へ接続する必要が有るが、個別排気の場合は壁（外壁４２）への多数の穴あけ、集合排気の場合は個別排気よりも大口径のダクトを屋外へ接続し、臭い、リント等環境への配慮から、屋外にて上方へダクトを立ち上げ、高所にて大気へ放出する必要が有る。本実施形態は、専用の室外排気装置として室外機７２を用いて、小口径の集合ダクトで室外まで接続し、室外にて室外機７２と接続する。排気装置には小口径排気ダクトによる圧損対応、複数台の同時排気に対応して送風機を完備し、排気に含まれる臭い及び微細なリント等を除去するフィルタ類（例えばリントフィルター）を装備し、室外機７２より直接外気へ排気可能とする。吸気管６５Ａ，２０５と排気管６５Ｂ，２０６とを２重管構造にして熱交換による排熱利用を行うようにしてもよい。
【００４２】
（第２実施形態）
続いて、第２実施形態のコインランドリーシステムを導入したコインランドリー１について説明する。第２実施形態のコインランドリーシステムを導入したコインランドリー１は、洗濯乾燥機２Ａを上下２段配置としたことを除けば、第１実施形態のコインランドリー１と同じ構成である。従って、第１実施形態のコインランドリー１と同様の構成については、同じ符号を付すことによって詳しい説明は省略する。
【００４３】
第２実施形態のコインランドリー１に設置する洗濯乾燥機２Ａは、図８に示すように、上下２段に配置している。但し、乾燥機２Ｂとは異なり、フレーム９０を個別にする。そして、上段の洗濯乾燥機２Ａのフレーム９０は、上段用支持用のベース６００によって支持する。ベース６００は、例えばコンクリート等の基礎１００上に例えばアンカーボルト１０１によって固定する。ベース６００は、例えば金属材で形成する。
【００４４】
既述のように、洗濯乾燥機２Ａは、特に脱水工程での振動が大きいため、共通のフレームで２段配置すると上段側の揺れが激しくなる場合がある。さらに、共振による振動の増幅も懸念される。そこで、ベース６００を設けて、上段の洗濯乾燥機２Ａと下段の洗濯乾燥機２Ａとを個別に基礎１００等の床面に固定する。これにより、振動によって機器に不具合が生じるのを抑える。
【００４５】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４６】
１      コインランドリー
２Ａ    洗濯乾燥機
２Ｂ    乾燥機
２１Ａ，２１Ｂ  扉
５１Ａ，５１Ｂ  ドラム
３      集中精算機
４４    室内壁
４５    開口部
７１    集合排気ダクト
７２    室外機
９      ドラム
【図１】
2019165853.tif 000003
【図２】
2019165853.tif 000004
【図３】
2019165853.tif 000005
【図４】
2019165853.tif 000006
【図５】
2019165853.tif 000007
【図６】
2019165853.tif 000008
【図７】
2019165853.tif 000009
【図８】
2019165853.tif 000010